(57)【要約】【課題】  室内機を吊り下げ構造において地震等外部からの力によって発生する振動に対して信頼性向上を図る空気調和機を提供することにある。【解決手段】  室内機本体と該室内機本体を覆う化粧パネルとを備えた室内機と、該室内機と冷媒配管により接続された室外機と、を備え、前記室内機本体は複数の吊ボルトと連結することで吊り下げられる空気調和機において、前記複数の吊ボルトのそれぞれの支持部材により支持されるプレートと、前記室内機本体に接続された前記冷媒配管と前記吊ボルトとを連結する結束バンドと、該結束バンドによる連結箇所の近傍において、前記冷媒配管と天井とを固定する配管吊り下げ部と、を備えた。【選択図】  図１
2014163617.tif 000002
【特許請求の範囲】
【請求項１】
室内機本体と該室内機本体を覆う化粧パネルとを備えた室内機と、
該室内機と冷媒配管により接続された室外機と、を備え、
前記室内機本体は複数の吊ボルトと連結することで吊り下げられる空気調和機において、
前記複数の吊ボルトのそれぞれの支持部材により支持されるプレートと、
前記室内機本体に接続された前記冷媒配管と前記吊ボルトとを連結する結束バンドと、
該結束バンドによる連結箇所の近傍において、前記冷媒配管と天井とを固定する配管吊り下げ部と、を備えたことを特徴とする空気調和機。
【請求項２】
請求項１に記載の空気調和機において、
前記室内機本体に接続された前記冷媒配管は室内機本体の外で天井方向に向かうように構成され、この天井方向に向かう位置において前記結束バンドにより前記吊ボルトと連結されることを特徴とする空気調和機。
【請求項３】
請求項１に記載の空気調和機において、
前記プレートは前記室内機本体と前記天井との間に前記室内機本体と略水平に配置されることを特徴とする空気調和機。
【請求項４】
請求項１に記載の空気調和機において、
前記プレートは外周端部が折り曲げられて構成されることを特徴とする空気調和機。
【請求項５】
室内機本体と該室内機本体を覆う化粧パネルとを備えた室内機と、
該室内機と冷媒配管により接続された室外機と、を備え、
前記室内機本体は複数の吊ボルトと連結することで吊り下げられる空気調和機において、
前記複数の吊ボルトのそれぞれに支持部材により支持される筋交い部材と、
前記室内機本体に接続された前記冷媒配管と前記吊ボルトとを連結する結束バンドと、
該結束バンドによる連結箇所の近傍において、前記冷媒配管と天井とを固定する配管吊り下げ部と、を備えたことを特徴とする空気調和機。
【発明の詳細な説明】
【技術分野】
【０００１】
本発明は、空気調和機について特に室内機の吊下げ構造に関する。
【背景技術】
【０００２】
本技術分野の背景技術として、特開２００２−３６４９１１号公報（特許文献１）がある。この公報には、「天井に取着された振れ止め金具と、空気調和機の取付位置に応じて選択される長さのロッドと、ロッドの下側に取着された振れ止め具を備えている。この振れ止め具は空気調和機の位置に応じて選択されるとともに、複数の並列に配列されたロッドにより、天井から所定距離の位置に空気調和機を取着する構成よりなっている。」と記載されている。
【先行技術文献】
【特許文献】
【０００３】
【特許文献１】特開２００２−３６４９１１号公報
【発明の概要】
【発明が解決しようとする課題】
【０００４】
業務用空気調和機の室内機は、製品本体を天井に収納する形態が主流である。これら空気調和機は天井から吊り下げられており、地震から大きな力を受けても落下しない製品が求められている。空気調和機の脱落は、室内機の吊金具等が地震から受ける力により、変形又は破損することで起こる。したがって、室内機の脱落を防ぐには、室内機の吊金具等に掛かる応力や変形を抑えなくてはならない。吊金具等の応力や変形を抑えるためには、地震から受ける力で発生する振動を低減する必要がある。
【０００５】
前記特許文献１に記載の従来発明は、２本の筋交い部材が×字に交差するように設けられ、その構造が振動を低減できると記載されている。この従来発明の構造は地震から受ける振動を低減することは解決されるが、筋交い部材が空気調和機上部空間のスペースを奪い、複数の空気調和機の冷媒配管類を配置する際の妨げになる。前記特許文献１には、空気調和機室内機の吊り手段における、振れ止め具の構造が記載されており、従来発明同様地震から受ける振動が低減でき、かつ、空気調和機上部空間を確保できると記載されている。だが、前記特許文献１記載の空気調和機のロッドは、長さごと種類が決められているため、室内機本体の高さを天井ボードの高さに合わせることが出来ないなど、室内機の吊下げ自由度が小さい。
【０００６】
そこで本発明の目的は、室内機を吊り下げ構造において地震等外部からの力によって発生する振動に対して信頼性向上を図る空気調和機を提供することにある。
【課題を解決するための手段】
【０００７】
上記課題を解決するために、例えば特許請求の範囲に記載の構成を採用する。  
本願は上記課題を解決する手段を複数含んでいるが、その一例を挙げるならば、「室内機本体と該室内機本体を覆う化粧パネルとを備えた室内機と、該室内機と冷媒配管により接続された室外機と、を備え、前記室内機本体は複数の吊ボルトと連結することで吊り下げられる空気調和機において、前記複数の吊ボルトのそれぞれの支持部材により支持されるプレートと、前記室内機本体に接続された前記冷媒配管と前記吊ボルトとを連結する結束バンドと、該結束バンドによる連結箇所の近傍において、前記冷媒配管と天井とを固定する配管吊り下げ部と、を備えたことを特徴とする空気調和機」である。
【発明の効果】
【０００８】
本発明によれば、室内機を吊り下げ構造において地震等外部からの力によって発生する振動に対して信頼性向上を図る空気調和機を提供することが可能となる。
【図面の簡単な説明】
【０００９】
【図１】本発明の実施例１を示す天井吊下げ型空気調和機室内機の側面図
【図２】図１の斜視図
【図３】天井吊下げ型空気調和機室内機の側面図
【図４】図３の斜視図
【図５】特許文献１の天井吊下げ型空気調和機室内機の側面図
【図６】図５の斜視図
【図７】本発明の実施例２を示す図１Ａ部の拡大斜視図
【図８】本発明の実施例２を示す図１のプレート５の斜視図
【図９】本発明の実施例３を示す図２に対応する斜視図
【発明を実施するための形態】
【００１０】
以下、実施例を図面を用いて説明する。
【実施例１】
【００１１】
本実施例は、天井に取付けられる空気調和機の室内機に関し、特に空気調和機の室内機の吊下げ構造に関するものである。空気調和機室内機の吊下げ構造について図３及び図４を用いて説明する。図３は、天井吊下げ型空気調和機室内機の側面図であり、図４は図３の斜視図である。空気調和機の室内機は、一般的に空気を送風するファンを有し、ファンを回転させるファンモータ、及び空気の熱交換を行う熱交換器等の部品が備えられている。空気調和機の室内機は主に室内機本体１と化粧パネル２とで構成され、室内機本体１の外側には冷媒が流れる冷媒配管７を備える。室内機本体１と化粧パネル２は吊金具４によって連結され、吊金具４は吊ボルト３と連結し、吊ボルト３は上部の天井１０へと繋がり空気調和機を吊下げている。そのため、地震等の外部の力を受けると、空気調和機の室内機は振動し、吊ボルト３や吊金具４に応力が発生する。吊ボルト３や吊金具４に力が加わることでそれらは変形または破損し、空気調和機が脱落する虞がある。
【００１２】
吊ボルト３や吊金具４の変形や破損を防ぐには、吊ボルト３や吊金具４の強度を上げるか、吊り下げ構造の強度を上げ吊ボルト３や吊金具４に掛かる力を低減すれば変形や破損は起こらず、空気調和機の脱落を回避することが可能となる。
【００１３】
振動を抑制するための吊り下げ構造として、図５は従来の天井吊下げ型空気調和機室内機を側面から見た側面図であり、図６は図５の斜視図である。図５及び図６に示す構造は、断面が×字のロッド２０及び振れ止め付取付金具２１を、空気調和機室内機本体１と天井の間に渡し、振れ止め付取付金具２１と天井１０及び空気調和機室内機本体１を取付ボルト２２で連結している。この構造を備えることにより、空調機室内機上部の空間と、室内機の吊り下げ構造の強度を確保することができ、図５及び図６の振動を低減させることが可能である。しかし、この天井吊下げ型空気調和機室内機は、予めロッド２０の寸法の種類が決まっており、天井ボード等と共に吊り下げる場合は高さが合わせることができないなど、吊り下げ高さの自由度が小さかった。
【００１４】
そこで本実施例においては、室内機の吊り下げ構造の強度を確保し地震等の力に対する振動を低減させ、図５、６に記載の構造より空気調和機上部の空間を広げ、冷媒配管の配置等の制限を少なくし、かつ、吊り下げ高さの微調整ができる空気調和機の室内機吊下げ構造について説明する。
【００１５】
図１は本実施例の天井吊下げ型の空気調和機の室内機側面図であり図２は図１の斜視図である。本実施例の空気調和機の室内機の吊下げ構造は、図１及び図２に示すように、主に室内機本体１とこの室内機本体１を覆う化粧パネル２とで構成され、それらは吊金具４によって連結される。なお、室内機は冷媒配管により図示はしていない室外機と接続されて空気調和機を構成する。吊金具４は吊ボルト３と連結し、吊ボルト３は天井１０へと繋がるものであり、このように室内機本体１は複数の吊ボルト３と連結することで天井に吊り下げられる。
【００１６】
複数の吊ボルト３には支持部材としての支持金具６がそれぞれ備えられ、これらの支持部材（支持金具６）はボルト６ａによりプレート５を支持する。この構造を備えることにより、地震等の外部からの力に対しプレート５が面内方向に力を受けるため、室内機の吊り下げ構造の変位が低減し、空気調和機の室内機の振動を低減することができる。したがって、プレート５を備える前に比べ吊ボルト３や吊金具４に発生する応力を小さくすることができ、空気調和機の室内機の脱落を防ぐことができる。
【００１７】
本実施例は図１及び図２に示すように、プレート５を設けたうえで、室内機本体１に接続された冷媒配管７を天井方向（上部）に折り曲げ、吊ボルト３と結束バンド８で強固に連結する。つまり室内機本体１に接続された冷媒配管７は室内機本体１の外で天井方向に向かうように構成され、この天井方向に向かう位置において結束バンド８により吊ボルト３と連結される。なお、プレート５は室内機本体１と天井１０との間に室内機本体１と略水平に配置される。
【００１８】
さらに冷媒配管７を結束バンド８で吊ボルト３と連結した近く、つまり、結束バンド８による連結箇所の近傍において、配管吊り下げ部７ａにより冷媒配管７と天井１０とを固定する。この構造を備えることにより、捻れ方向の振動（矢印Ｂ）を低減させることができ、吊ボルト３や前記吊金具４に発生する応力を小さくすることができ、空気調和機室内機の脱落を防ぐことができる。
【００１９】
本実施例では、室内機を吊ボルト３に吊り下げる際、吊ボルト３にナット１２を備え、その上に吊金具６を掛け室内機を吊り下げているため、ナット１２を回転させれば高さの微調整ができ、天井ボード等と共に設置する場合などでも問題なく設置できるため、従来の空気調和機の室内機より吊り下げ自由度を大きくすることが可能となる。
【実施例２】
【００２０】
実施例２を図７及び図８を用いて説明する。  
図７及び図８は本実施例の吊支持具６周囲の空気調和機の室内機の構造を説明するための図であり、図７は図１Ａ部の拡大斜視図、図８は図１のプレート５の斜視図であり図７のプレート５の上下を反転した全体図である。図７及び図８のプレート５はプレート周囲の端部５ａを折り曲げており、実施例１のプレート５より強度を確保することができる。そのため、室内機の吊り下げ構造の振動変位が低減することができ、空気調和機室内機の脱落を防ぐことができる。
【実施例３】
【００２１】
実施例３を図９を用いて説明する。  
図９は本実施例の空気調和機の室内機の構造を説明するための図であり、図２と対応した空気調和機の室内機の斜視図である。４本の吊ボルト３の同じ高さで計６本の筋交い部材１１を入れることで、実施例１と同様に室内機上部の空間を確保でき、実施例１のプレートに対して低コストで、水平方向及び捻れ方向の振動を低減することができる。したがって、吊ボルト３や吊金具４に発生する応力を小さくすることができ、空気調和機の室内機の脱落を防ぐことができる。
【００２２】
以上に説明した実施例に記載の空気調和機によれば室内機の吊下げを安価かつ、空気調和機の吊り下げ高さを天井ボード等に合わせることができ、更に空気調和機上部の空間を確保することにより、空気調和機の配管類を制限なく配置でき、地震等外部からの力によって発生する振動を低減することができる。つまり室内機本体１の上部に天井面と平行するプレート５を設けることで、室内機本体１の水平方向の振動を抑制し、冷媒配管７と吊ボルト３を結束バンド８により連結することで、吊ボルト３が捻れる振動を抑えることができる。よって、吊ボルト３や吊金具４の強度を損なわず、室内機の脱落を防ぐと同時に、室内機上部の空間を確保できることで、冷媒配管７の配置が制限されない空気調和機を提供することが可能となる。
【符号の説明】
【００２３】
１    室内機本体
２    化粧パネル
２ａ  パネルねじ止め部
３    吊ボルト
４    吊金具
５    プレート
５ａ  プレート周囲の端部
６    支持金具
６ａ  ボルト
６ｂ  ナット
６ｃ  ワッシャー
７    冷媒配管
７ａ  配管吊り下げ部
８    結束バンド
９    天井ボード
１０  天井
１１  筋交い部材
１２  ナット
２０  ロッド
２１  振れ止め付取付金具
２２  取付ボルト
矢印Ｂ  捻れの振動方向
【図１】
2014163617.tif 000003
【図２】
2014163617.tif 000004
【図３】
2014163617.tif 000005
【図４】
2014163617.tif 000006
【図５】
2014163617.tif 000007
【図６】
2014163617.tif 000008
【図７】
2014163617.tif 000009
【図８】
2014163617.tif 000010
【図９】
2014163617.tif 000011